(57)【要約】      （修正有）【課題】夜間照明とアロマ芳香の二重効果を有するアロマランプを提供する。【解決手段】アロマランプは、電源と接触して電力を生成する主座体１からなる。主座体１内にファンユニット２を有し、主座体１上端に搭載フレーム４を組設する。搭載フレーム４内に、ファンユニット２から空気が流動され、香りを発散するアロマ体５を有し、匂いを消去して空気を改善する。また、主座体１内に回路に連接された発光素子３を有し、発光素子３は搭載フレーム４を穿過して、造型カバー内に位置し、夜間照明としても使用できる。【選択図】図１
0003147049.tif 000002
【実用新案登録請求の範囲】
【請求項１】
アロマランプ構造であって、主に、
回路ユニットを有する座体で、もう一端は、電源と接触し電力を生成するコンセントを有する主座体と、
前記主座体の前記回路ユニット上方に設置され、前記コンセントにより動力を生成して前記ファンユニットを起動させるファンユニットと、
前記主体座の前記回路ユニットと組接し、且つ、前記ファンユニット上方に連接される発光ユニットと、
前記主座体の前記回路ユニットに設置され、前記ファンブレード上方の架体に位置し、前記架体中央は、前記発光素子を穿過する透空管を穿設し、前記透空管周辺は孔を形成する搭載フレームと、
香りのある物体で、前記搭載フレーム内に設置されるアロマ体と、
前記搭載フレーム上方に設置され、頂部に通孔を有する造型カバーと、
からなることを特徴とするアロマランプ構造。
【請求項２】
前記アロマ体は、アロマ液体を吸収するスポンジであることを特徴とする請求項１に記載のアロマランプ構造。
【請求項３】
前記アロマ体は、アロマ石鹸であることを特徴とする請求項１に記載のアロマランプ構造。
【請求項４】
前記発光素子は発光ダイオードであることを特徴とする請求項１に記載のアロマランプ構造。
【請求項５】
前記造型カバーと前記主座体、及び、搭載フレームは分離状態でもよいことを特徴とする請求項１に記載のアロマランプ構造。
【考案の詳細な説明】
【技術分野】
【０００１】
本考案は、アロマランプ構造に関するものであって、特に、夜間照明とアロマ芳香の二重効果を有するアロマランプに関するものである。
【背景技術】
【０００２】
室内外環境は、少なからずともある種の匂いを嗅ぎ取ることができ、また、空気汚染もあるので、すがすがしい空気を吸いたいと感じることがある。よって、各種様々な芳香効果のある商品が開発され、アロマオイルを火で温めて使用するものや、スプレイ式、電気式のものがあるが、これらは、どれも、空気に香りづけする単一効果しかない。
【０００３】
また、夜間に使用するコンセント挿入式ランプは、照明灯を使用しないときに使用するもので、ワット数が小さく、電力消耗の小さいランプか発光ダイオードであるが、夜間ランプの造型は、多くが半円球ランプ造型カバー、或いは、貝殻状、又は、キャラクターものであり、造型設計により、夜間照明は照明功能以外に、単調設計でない装飾効果を有する。上述の装飾功能を有する夜間照明が、アロマ薫香効果を有するか、空気品質を改善することができたら理想的である。
【考案の開示】
【考案が解決しようとする課題】
【０００４】
本考案の目的は、夜間照明とアロマ芳香の二重効果を有するアロマランプ構造を提供し、上述の問題を改善することにある。
【課題を解決するための手段】
【０００５】
本考案のアロマランプは、電源と接触して電力を生成する主座体からなる。主座体内にファンユニットを有し、主座体上端に搭載フレームを組設する。搭載フレーム内に、ファンユニットから空気が流動され、香りを散発するアロマ体を有し、匂いを消去して空気を改善する。また、主座体内に回路に連接された発光素子を有し、発光素子は搭載フレームを穿過して、造型カバー内に位置し、夜間照明としても使用できる。
【考案の効果】
【０００６】
本考案のアロマランプは、アロマランプとして香りを散発するだけでなく、発光素子により照明を提供することができる。
【考案を実施するための最良の形態】
【０００７】
図１、図２は、本考案のアロマランプ構造の立体外観図と組み合わせ図である。アロマランプ構造Aは、主に、主座体１、ファンユニット２、発光素子３、搭載フレーム４、アロマ体５、造型カバー６、からなる。
【０００８】
主座体１は、回路ユニット１１を有する座体で、もう一端は、電源と接触し電力を生成するコンセント１２を有する。
【０００９】
ファンユニット２は、主座体１の回路ユニット１１上方に設置され、コンセント１２により動力を生成してファンユニット２を起動させる。
【００１０】
発光素子３は、主体座１の回路ユニット１１と組接し、且つ、ファンユニット２上方に連接される。
【００１１】
搭載フレーム４は、主座体１の回路ユニット１１に設置され、ファンブレード２上方の架体に位置し、架体中央は、発光素子３を穿過する透空管４１を穿設し、透空管４１周辺は孔４２を形成する。
【００１２】
アロマ体５は、香りのある物体で、搭載フレーム４内に設置される。
【００１３】
造型カバー６は、搭載フレーム４上方に設置され、頂部に通孔６１を有する。
【００１４】
図３と図４は、本考案のアロマランプの断面図で、アロマランプAの使用時、まず、主体座１のコンセント１２と電源が接触して、電力を生成し、電力がファンユニット２に供給されて、旋転して、動力を生成し、搭載フレーム４内の香りのあるアロマ体５が、ファンユニット２により吹送され、空気が流動し、風力は孔４２から散発し、空気散出の時、搭載フレーム４上に設置されたアロマ体５の香りが、造型カバー６頂部の通孔６１から散出する。アロマ体５は、アロマ液体を吸収するスポンジやアロマ石鹸などである。続いて、主座体１のコンセント１２と電源が接触して電力を生成するとき、回路ユニット１１を導通させ、発光素子３が発光し、発光素子３は、搭載フレーム４の透光管４１に穿設され、且つ、造型カバー６内に位置するので、造型カバー６が発光して、夜間照明とすることができる。
【００１５】
図４で示されるように、本考案の使用時、主座体１上端の搭載フレーム４開口端に、造型カバー６を設置し、アロマランプA全体が視覚的に美しくなる。また、図３で示されるように、造型カバー６は、主座体１、及び、搭載フレーム４と分離して、主座体１、及び、搭載フレーム４を単独で使用してもよい。また、アロマランプAのコンセント１２を発光素子３、或いは、ファンユニット２に接続する回路構造は多くの様態があるが、本発明の重点ではないので詳述しない。
【００１６】
本考案のアロマランプ構造は、以下のような長所がある。１．主座体内にファンブレードを有して、内部の空気を流動させ、搭載フレーム上のアロマ体は、孔から吹送され、造型ランプの通孔から香りが排出され、快速に香りを広がらせることができる。２．主座体の回路ユニットは発光素子を連接し、搭載フレームの透空管を穿過して、造型カバー内に置設され、夜間照明として使用できる。３．上述の二者でも提示されるように、アロマランプ構造中の主座体と搭載フレーム中に、ファンブレードユニットとアロマ体を設置し、同時に、発光素子も設置するので、夜間照明とアロマランプの二重効果を兼備する。４．搭載フレーム開口端に造型カバーを設置し、アロマランプ全体が美しい視覚効果を有する。
【図面の簡単な説明】
【００１７】
【図１】本考案の立体外観分解図である。
【図２】本考案の組み合わせ図である。
【図３】本考案の断面図１である。
【図４】本考案の断面図２である。
【符号の説明】
【００１８】
アロマランプ構造A
主座体１
ファンユニット２
発光素子３
搭載フレーム４
アロマ体５
造型カバー６
回路ユニット１１
コンセント１２
透空管４１
孔４２
通孔６１
【図１】
0003147049.tif 000003
【図２】
0003147049.tif 000004
【図３】
0003147049.tif 000005
【図４】
0003147049.tif 000006